(57)【特許請求の範囲】
【請求項１】
マトリクス状に画素が配置される表示部と、
前記表示部をその表面に配置するとともに、反射膜を有する基台と、
前記基台の裏面に配置され、前記表示部を駆動する信号を生成する駆動回路と、
前記基台を貫通する状態で前記反射膜と導通しないよう形成され、前記駆動回路から前記表示部へ前記信号を導通するスルーホールと
を備えていることを特徴とする反射型画像表示装置。
【請求項２】
前記反射膜における前記スルーホールが配置される部分は、前記スルーホールよりわずかに大きく除去されている
ことを特徴とする請求項１記載の反射型画像表示装置。
【発明の詳細な説明】
【０００１】
【発明の属する技術分野】
本発明は、マトリクス状に配置された画素を駆動した表示を行う反射型画像表示装置に関する。
【０００２】
【従来の技術】
マトリクス状に画素が配置された画像表示装置として代表的なものに液晶表示装置がある。図５は、そのうちの反射型ＴＦＴ（Thin Film Transistor）液晶表示装置の概略回路図である。この液晶表示装置では、マトリクス状に配置される各画素２に各々駆動用のトランジスタＴｒが設けられている。
【０００３】
各トランジスタＴｒは、水平シフトレジスタ４１と垂直シフトレジスタ４２とから送られる信号によって駆動され、各画素２に対応する画像信号を液晶ＬＣに与えている。
【０００４】
このような水平シフトレジスタ４１、垂直シフトレジスタ４２およびＨ（水平）スイッチ４３などの駆動回路はマトリクス状の画素２の周辺に形成されている。図６は反射型ＴＦＴ液晶表示装置の概略側面図、図７は反射型ＴＦＴ液晶表示装置の概略平面図である。
【０００５】
すなわち、液晶駆動のための水平シフトレジスタ４１や垂直シフトレジスタ４２は、反射膜の形成された反射板３における表示エリアの周辺に形成されている。
【０００６】
【発明が解決しようとする課題】
しかしながら、このように水平シフトレジスタや垂直シフトレジスタから成る駆動回路が表示エリアの周辺に設けられていることで、反射板の面積が決まっている場合にはその駆動回路の分だけ表示エリアの面積が小さくなってしまうという問題が生じる。
【０００７】
【課題を解決するための手段】
本発明はこのような課題を解決するために成されたものである。すなわち、本発明の反射型画像表示装置は、マトリクス状に画素が配置される表示部と、表示部をその表面に配置するとともに、反射膜を有する基台と、基台の裏面に反射膜と導通しないよう配置され表示部を駆動する信号を生成する駆動回路とを備えている。
【０００８】
このような本発明では、表面に表示部が形成される基台の裏面に駆動回路が設けられていることから、表示部が形成される基台の表面に駆動回路を設ける必要がなくなり、基台の表面の大部分を表示部として使用することができるようになる。
【０００９】
【発明の実施の形態】
以下に、本発明の画像表示装置における実施の形態を図に基づいて説明する。なお、本実施形態では、画像表示装置として反射型の液晶表示装置を例とした説明を行う。
【００１０】
図１は第１実施形態における液晶表示装置を説明する概略側面図、図２は第１実施形態における液晶表示装置を説明する概略平面図である。
【００１１】
すなわち、この液晶表示装置１は、マトリクス状に配置される画素２と、表面側に画素２を配置する基台となる反射板３と、反射板３の裏面側に形成された駆動回路４と、反射板３を貫通し、縦横の信号線と駆動回路４とを各々導通状態にするスルーホール５とを備えている。
【００１２】
画素２としては、２枚のガラス基板で構成される所定のギャップに液晶が挟み込まれたもので、各画素２に対応して液晶駆動用のＴＦＴ等の素子が設けられている。
【００１３】
反射板３は、例えばガラス基板の表面に反射膜が蒸着されたもので、画素２側から入射した光を反射して、各画素２による表示情報を参照できるようにしている。
【００１４】
駆動回路４は、主として表示エリア１０における図中縦方向に沿った各配線へ信号を与える水平シフトレジスタ４１と、表示エリア１０における図中横方向に沿った各配線へ信号を与える垂直シフトレジスタ４２とから構成されている。
【００１５】
この水平シフトレジスタ４１と垂直シフトレジスタ４２とが反射板３の裏面側に形成されていることで、反射板３における表面側の大部分を表示エリア１０として使用することができるようになっている。
【００１６】
また、水平シフトレジスタ４１および垂直シフトレジスタ４２の各出力と、反射板３の表面側に設けられる図中縦横の各配線とは、反射板３を貫通する複数のスルーホール５によって各々導通状態となっている。
【００１７】
スルーホール５は、図中縦横の各配線に対応して形成され、例えば表示エリア１０の内側に縦一列、横一列設けられている。なお、スルーホール５は表示エリア１０の外側に設けられていてもよい。
【００１８】
また、各スルーホール５は反射板３に形成された反射膜（図示せず）とは電気的に導通しないようになっている。すなわち、反射板３に反射膜を形成した後、スルーホール５が配置される部分だけスルーホール５よりわずかに大きく反射膜を除去することで、各スルーホール５と反射膜とを導通させずに済むようになる。
【００１９】
このような各スルーホール５によって、反射板３の裏面側に形成された水平シフトレジスタ４１および垂直シフトレジスタ４２から出力される各信号は、スルーホール５を介して反射板３の表面側にある図中縦横に沿った配線へ信号が与えられるようになり、反射板３の裏面側から表示エリア１０の各画素２を駆動できるようになる。
【００２０】
つまり、反射板３の表面には水平シフトレジスタ４１および垂直シフトレジスタ４２から成る駆動回路４が存在しないことになり、反射板３の表面側に設けられる表示エリア１０を大きくすることができる。
【００２１】
次に、第２実施形態の説明を行う。図３は第２実施形態における液晶表示装置を説明する概略側面図、図４は第２実施形態における液晶表示装置を説明する概略平面図である。
【００２２】
すなわち、第２実施形態における液晶表示装置１は、マトリクス状に配置される画素２と、表面側に画素２を配置する反射板３と、反射板３の裏面側に形成された駆動回路４とを備える点で第１実施形態と同様であるが、反射板３の縁に沿って形成され、縦横の信号線と駆動回路４とを各々導通状態にする引回し配線６を備えている点で相違する。
【００２３】
画素２としては、２枚のガラス基板で構成される所定のギャップに液晶が挟み込まれたもので、各画素２に対応して液晶駆動用のＴＦＴ等の素子が設けられている。
【００２４】
反射板３は、例えばガラス基板の表面に反射膜が蒸着されたもので、画素２側から入射した光を反射して、各画素２による表示情報を参照できるようにしている。
【００２５】
駆動回路４としては、主として表示エリア１０における図中縦方向に沿った各配線へ信号を与える水平シフトレジスタ４１と、表示エリア１０における図中横方向に沿った各配線へ信号を与える垂直シフトレジスタ４２とから構成されている。
【００２６】
また、水平シフトレジスタ４１および垂直シフトレジスタ４２の各出力と、反射板３の表面側に設けられる図中縦横の各配線とを導通する引回し配線６は、例えば透明電極（ＩＴＯ）によって形成されている。
【００２７】
引回し配線６は、図中縦横の各配線に対応して形成され、例えば表示エリア１０の図中左側縁と図中下側縁とに設けられている。
【００２８】
このような各引回し配線６によって、反射板３の裏面側に形成された水平シフトレジスタ４１および垂直シフトレジスタ４２から出力される各信号は、引回し配線６を介して反射板３の表面側にある図中縦横に沿った配線へ信号が与えられるようになり、反射板３の裏面側から表示エリア１０の各画素２を駆動できるようになる。
【００２９】
つまり、第１実施形態と同様、反射板３の表面には水平シフトレジスタ４１および垂直シフトレジスタ４２から成る駆動回路４が存在しないことになり、反射板３の表面側になる表示エリア１０を大きくすることができる。
【００３０】
なお、第１実施形態および第２実施形態とも、反射板３の裏面側の駆動回路４と表面側の縦横配線とを導通させるスルーホール５および引回し配線６の配置位置は上記説明したものに限定されることはない。
【００３１】
また、いずれの実施形態でも、反射板３の裏面側に駆動回路４を形成するようにしたが、水平シフトレジスタ４１や垂直シフトレジスタ４２の別途パッケージ化されたＩＣで構成し、このＩＣを反射板３の裏面側に実装するようにしてもよい。
【００３２】
さらに、上記実施形態では、いずれも反射型の液晶表示装置１を例として説明したが、これ以外にも自己発光型表示装置、例えばプラズマ表示装置やＬＥＤ表示装置であっても適用することが可能である。
【００３３】
【発明の効果】
以上説明したように、本発明の画像表示装置によれば次のような効果がある。すなわち、表面に表示部が形成される基台の裏面に駆動回路を設けていることから、基台の表面には駆動回路が存在しないことになり、基台の表面の大部分を表示部として使用することが可能となる。これにより、基台の面積に対する表示部の面積率を大きくとることができ、所定の大きさに対して表示部を効率良くレイアウトすることが可能となる。
【図面の簡単な説明】
【図１】第１実施形態を説明する概略側面図である。
【図２】第１実施形態を説明する概略平面図である。
【図３】第２実施形態を説明する概略側面図である。
【図４】第２実施形態を説明する概略平面図である。
【図５】反射型ＴＦＴ液晶表示装置の概略回路図である。
【図６】従来の反射型ＴＦＴ液晶表示装置の概略側面図である。
【図７】従来の反射型ＴＦＴ液晶表示装置の概略平面図である。
【符号の説明】
１…液晶表示装置、２…画素、３…反射板、４…駆動回路、５…スルーホール、６…引回し配線、１０…表示エリア、４１…水平シフトレジスタ、４２…垂直シフトレジスタ
【図１】
0003750316.tif 000002
【図２】
0003750316.tif 000003
【図３】
0003750316.tif 000004
【図４】
0003750316.tif 000005
【図５】
0003750316.tif 000006
【図６】
0003750316.tif 000007
【図７】
0003750316.tif 000008